(57)【特許請求の範囲】
【請求項１】
バーナー１の上方にバーナー１の燃焼熱で高温となる燃焼室２を配置し、該燃焼室２壁の少なくとも一部に熱線透過部３が形成され、かつ、燃焼室２の内部に赤熱部材４を備えた暖房機において、
前記熱線透過部３に対向する燃焼室２内には複数の線材５ａで形成された赤熱部材保持体５を設け、前記燃焼室２内には前記バーナー１の直上部と連続する空間Ａが前記赤熱部材保持体５によってドーム状に形成され、
前記赤熱部材４はセラミック発泡体によって石炭ブロック片に似せた擬似石炭片６で構成し、該擬似石炭片６はあらかじめ貫通孔６ａが設けられ、該貫通孔６ａが線材５ａに挿通されて隣り合う擬似石炭片６との間に間隙７を形成しながら前記赤熱部材保持体５に取付けられ、
前記バーナー１で発生した燃焼ガスは前記赤熱部材４で覆われた前記空間Ａに滞留し、前記空間Ａに充満する燃焼ガスが前記擬似石炭片６の間の前記間隙７を通過して燃焼室２に拡散し、前記擬似石炭片６は高温の燃焼ガスによって赤熱することを特徴とする熱線暖房を併用する暖房機。
【請求項２】
バーナー１の上方にバーナー１の燃焼熱で高温となる燃焼室２を配置し、該燃焼室２壁の少なくとも一部に熱線透過部３が形成され、かつ、燃焼室２の内部に赤熱部材４を備えた暖房機において、
前記熱線透過部３に対向する燃焼室２内には網状部材５ｂで形成された赤熱部材保持体５を設け、前記燃焼室２内には前記バーナー１の直上部と連続する空間Ａが前記赤熱部材保持体５によってドーム状に形成され、
前記赤熱部材４はセラミック発泡体によって石炭ブロック片に似せた擬似石炭片６で構成し、該擬似石炭片６は前記網状部材５ｂの網目にはめ込んで隣り合う擬似石炭片６との間に間隙７を形成しながら前記赤熱部材保持体５に取付けられ、
前記バーナー１で発生した燃焼ガスは前記赤熱部材４で覆われた前記空間Ａに滞留し、前記空間Ａに充満する燃焼ガスが前記擬似石炭片６の間の前記間隙７を通過して燃焼室２に拡散し、前記擬似石炭片６は高温の燃焼ガスによって赤熱することを特徴とする熱線暖房を併用する暖房機。
【発明の詳細な説明】
【技術分野】
【０００１】
この発明は暖炉の雰囲気を持った暖房機を得る為の機器部品の取付け構造に関するものである。
【背景技術】
【０００２】
一般的な圧力噴霧式石油燃焼暖房機は有底筒型のバーナーを備えており、該バーナーにはその全周を覆うように風胴が取付けられ、該風胴は導風部材を介して燃焼用送風機に接続されている。また、該バーナーの側面には燃料を噴霧するノズルが設置されており、該ノズルには送油パイプを介して燃料を加圧する電磁ポンプが接続されている。更に、バーナーのノズルの前方には点火電極が配置されており、該点火電極には高電圧を作り出す点火変圧器が接続されている。
【０００３】
また、バーナーの上部には外壁を透明な熱線透過部で構成した燃焼室が配置され、この燃焼室の内部には燃焼熱で赤熱する赤熱部材が配置される（特許文献１参照）。
【０００４】
点火操作を行なうと、燃焼用送風機が運転を開始し、発生した風は導風部材を介して風胴に送り込まれてバーナーに供給される。同時に点火電極に接続された点火変圧器に通電され、この点火変圧器によって作り出された高電圧によって、点火電極から放電火花が発生する。次に、電磁ポンプを運転すると高圧に加圧された燃料がノズルに供給されるから、該ノズルからバーナー内に向けて霧状の燃料が噴霧し、この時、点火電極から放電火花が発生しているので、ノズルから吹き出す高圧の霧状燃料はこの火花によって着火して燃焼が開始する。
【０００５】
このようにバーナーの燃焼が開始されて、点火操作が終了して燃焼が安定すれば、点火変圧器への通電を止めて点火電極からの放電を止めても燃焼が継続し、電磁ポンプによって燃料がバーナーへ送られ、燃焼用送風機によって空気がバーナーへ送られることによって、バーナーでは燃焼が継続する。
【０００６】
このようにバーナーでの燃焼が継続すると、燃焼の結果発生した高温の燃焼ガスは、バーナーから上昇して燃焼室の中に送られる。そして、この高温の燃焼ガスは燃焼室内に設置した赤熱部材を加熱し、高温となって赤熱した赤熱部材から発生する赤外線や遠赤外線の熱線は、燃焼室壁に構成した熱線透過部を通って周囲に放出されて暖房に供される。
【０００７】
一方、暖房機の運転を停止するために電磁ポンプへの通電を停止すれば、電磁ポンプは停止して燃料をバーナー内へ送るのを止め、バーナー内に残っている燃料が燃焼し尽くしてバーナーは消火するから、その後、燃焼用送風機への通電を止めてバーナーへの燃焼空気の供給を停止する。
【０００８】
【特許文献１】実用新案登録第２５４１１３０号公報
【発明の開示】
【発明が解決しようとする課題】
【０００９】
上記のような暖房機において、赤熱部材を配置する燃焼室の大きさは、バーナーの最大発熱量で安定した燃焼が可能な大きさが必要であるから、燃焼室の大きさを任意に変えることができないものである。また、燃焼室内に配置した赤熱部材を良好に赤熱させるためには、燃焼室内に高温の燃焼ガスを充満させ、この高温の燃焼ガス中に赤熱させるべき赤熱部材を配置して赤熱部材を高温にしなければならないが、この赤熱部材が高温になるためには、赤熱部材の熱容量のバランスや、部材の形状だけではなく、燃焼室の大きさに大きく影響しており、ある燃焼状態で良好に赤熱できても、発熱量が変化すると赤熱部材を充分赤熱させることが困難であった。
【００１０】
このため、従来の赤熱部材を燃焼室に配置して熱線暖房を兼用する暖房機において、燃焼室の大きさは任意に変化させることができないから、最も多く使われると思われる発熱量において赤熱部材の全体が高温になるように設計しており、燃焼量を絞ったときには赤熱部材の下部のみ赤熱して全体が黒ずみ、最大燃焼量の時には燃焼ガスの高温部分が赤熱部材の外方に位置して、赤熱が悪くなってしまうものであった。
【課題を解決するための手段】
【００１１】
この発明は燃焼室の大きさによらず赤熱部材を充分に赤熱させるための具体的な構造にかかるもので、バーナー１の上方にバーナー１の燃焼熱で高温となる燃焼室２を配置し、該燃焼室２壁の少なくとも一部に熱線透過部３が形成され、かつ、燃焼室２の内部に赤熱部材４を備えた暖房機において、前記熱線透過部３に対向する燃焼室２内には複数の線材５ａで形成された赤熱部材保持体５を設け、前記燃焼室２内には前記バーナー１の直上部と連続する空間Ａが前記赤熱部材保持体５によってドーム状に形成され、前記赤熱部材４はセラミック発泡体によって石炭ブロック片に似せた擬似石炭片６で構成し、該擬似石炭片６はあらかじめ貫通孔６ａが設けられ、該貫通孔６ａが線材５ａに挿通されて隣り合う擬似石炭片６との間に間隙７を形成しながら前記赤熱部材保持体５に取付けられ、前記バーナー１で発生した燃焼ガスは前記赤熱部材４で覆われた前記空間Ａに滞留し、前記空間Ａに充満する燃焼ガスが前記擬似石炭片６の間の前記間隙７を通過して燃焼室２に拡散し、前記擬似石炭片６は高温の燃焼ガスによって赤熱することを特徴とする熱線暖房を併用する暖房機としたものである。
【００１２】
前記擬似石炭片６の貫通孔６ａが線材５ａに挿通されて前記赤熱部材保持体５に取付けられたことで、擬似石炭片６は高赤熱状態を維持しながら容易に取付けられるようになった。
【００１３】
また、前記熱線透過部３に対向する燃焼室２内には網状部材５ｂで形成された赤熱部材保持体５を設け、前記燃焼室２内には前記バーナー１の直上部と連続する空間Ａが前記赤熱部材保持体５によってドーム状に形成され、前記擬似石炭片６は前記網状部材５ｂの網目にはめ込んで隣り合う擬似石炭片６との間に間隙７を形成しながら前記赤熱部材保持体５に取付けられることで擬似石炭片６は均一に取付けることが可能になった。
【発明の効果】
【００１４】
上記課題を解決するこの発明は、バーナー１の上部に配置された燃焼室２内には、バーナー１内に連なる空間Ａが形成できるように擬似石炭片６を配置したので、高所に位置した擬似石炭片６の真下の空間内の燃焼ガスも高温度を維持しており、この燃焼ガスは擬似石炭片６同士の間隙７を通り、一つ一つの擬似石炭片６を下部から加熱しつつ燃焼室２内に拡散するため、擬似石炭片６は効率よく赤熱状態に加熱することが可能となった。
【００１５】
また、燃焼量を絞ったときでもバーナー１に連続する空間Ａ内に充満する燃焼ガスは、すぐに燃焼室２に流出できないから、この燃焼室２の大きさに関係なく高温度が維持できるようになり、擬似石炭片６の赤熱具合を他の条件である燃焼室２の大きさや形状、バーナー１の燃焼量などの多くの制約から逃れて切り離すことができるようになり、赤熱部材４の大きさや形状は自由な設計が可能となった。
【００１６】
また、線材５ａで構成された赤熱部材保持体５を擬似石炭片６の貫通孔６ａに挿通しながら、空間Ａをドーム状に形成しているため、擬似石炭片６はバーナー１の直上部と連続する空間Ａの外周に正しく配置でき、一つ一つの擬似石炭片６が設計した位置に簡単に固定できるようになった。
【００１７】
更に、前記燃焼室２内の空間Ａは網状部材５ｂで形成された赤熱部材保持体５によってドーム状に形成したから、この網状部材５ｂでバーナー１の直上部と連続する空間Ａが容易に形成できるようになり、また、一つ一つの擬似石炭片６を網状部材５ｂの網目にはめ込むことで、特別に加工を施した擬似石炭片６を使わなくとも、容易にかつ均一に取付けることが可能になった。
【発明を実施するための最良の形態】
【００１８】
以下、実施例を示す図により構成を説明する。図１において、１は石油系の燃料を燃焼させる有底筒形のバーナー、８はこのバーナー１の全周を覆うように配置された風胴、９はバーナー１へ燃焼用空気を送る燃焼用送風機、１０は風胴８と燃焼用送風機９との間で燃焼用空気を導く導風部材であり、前記燃焼用送風機９を運転すると空気は導風部材１０を経て風胴８内へ送られ、バーナー１の側壁に設けた空気孔からバーナー１内に空気を供給している。
【００１９】
１１はバーナー１の側壁に設置されたノズル、１２は燃料をノズル１１へ送る電磁ポンプ、１３はノズル１１と電磁ポンプ１２を接続する送油パイプであり、電磁ポンプ１２を運転すると図示せざる油タンクから送られた燃料はこの電磁ポンプ１２によって加圧され、送油パイプ１３でつながるノズル１１の先端から霧状となってバーナー１内に噴霧することができる。
【００２０】
１４は前記ノズル１１の前方に先端が位置するようにバーナー１の側面に設置された点火電極、１５は点火電極１４に高電圧を印加する点火変圧器であり、暖房機の点火操作が行なわれると、燃焼用送風機９と点火変圧器１５に通電されて、燃焼用送風機９は運転を開始して発生した風が燃焼用空気としてバーナー１に送られる。また、通電された点火変圧器１５は点火電極１４に高電圧を供給して点火電極１４の先端に放電火花を発生させる。その後、電磁ポンプ１２に通電すると加圧された燃料が放電火花を横切ってバーナー１内に噴霧されるから、霧状の燃料は着火する。
【００２１】
図２に示す実施例の暖房機はポット式石油燃焼機を暖房機の熱源とするものであり、１６は有底筒状のバーナー１の側壁からバーナー１内部にのぞませて取付けた点火ヒータである。この実施例において、暖房機の点火操作が行なわれると、燃焼用送風機９と点火ヒータ１６に通電されて、運転を開始した燃焼用送風機９の風が燃焼用空気としてバーナー１に送られると共に、点火ヒータ１６が赤熱する。次いで、電磁ポンプ１２に通電すると強制的に燃料がバーナー１に送られて点火ヒータ１６の熱で燃焼を開始する。
【００２２】
図１と図２に示す実施例の暖房機において、１７はバーナー１内に配置した燃焼リングなどの助燃部材、２はバーナー１の上部に配置された燃焼室であり、バーナー１内で燃焼を開始した燃料は助燃部材１７の働きで風胴８から送られる空気との間で混合ガスを作り、一部はバーナー１内で、その他の一部はバーナー１に続く燃焼室２内で燃焼を行なう。そして、燃焼が開始されると点火変圧器１５や点火ヒータ１６への通電を止めても、そのまま安定した燃焼を継続することができる。尚、暖房機の運転を停止するときには、まず、電磁ポンプ１２への通電を止めて、バーナー１への燃料の供給を止め、バーナー１内に残った燃料が燃え尽きてから燃焼用送風機９の運転を停止する。
【００２３】
また、３は燃焼室２の壁面などの一部または全体に渡って耐熱性ガラスなどで構成された熱線透過部、４は燃焼室２内部に配置された赤熱部材であり、一般的な赤熱部材４は燃焼ガス中に配置する多孔筒状体や、先行する特許文献１に記載されたような擬木をバーナー１の直上部に配置し、燃焼室２内の燃焼ガスによって加熱されるようになっている。このような赤熱部材４はバーナー１に近い部分が強く赤熱されるものの、バーナー１から離れた赤熱部材４の上部では赤熱が悪く、最大発熱量時に赤熱部材４の全体が赤熱できても、最小燃焼量に絞った時には赤熱部材４の全体が黒ずんでしまうものであった。
【００２４】
図に示す実施例において、Ａは燃焼室２の内部でバーナー１の内部と連続するように構成された空間、５は前記赤熱部材４を燃焼室２内部に配置せしめるための赤熱部材保持体であり、この赤熱部材保持体５は端部がバーナー１の周縁に固定されて円形のバーナー１の周縁から上方に立ち上がり、更に、この赤熱部材保持体５はバーナー１の上方へ向けて湾曲して、バーナー１の上方を覆うことによって前記空間Ａを形成している。
【００２５】
６はセラミック発泡体でひとつの塊となるよう形成した擬似石炭片であり、石炭ブロック片に似せた形状に仕上げているが、本当の石炭ブロック自体は特定した形状のものではないから、ある程度の塊であればこれを石炭ブロック片としてみなすことにしている。この塊状の擬似石炭片６は前記赤熱部材保持体５に取付けられて、燃焼室２内の空間とバーナー１の上部の空間Ａとの境である、この空間Ａの外周縁に配置している。
【００２６】
７は赤熱部材保持体５に取付けた擬似石炭片６の隣り合う擬似石炭片６の間に形成した間隙であり、バーナー１で発生した燃焼ガスが空間Ａ内に拡散すると、この空間Ａの出口は間隙７だけとなるから高温の燃焼ガスが空間Ａ内に滞留して内圧を高めており、この高温の燃焼ガスが擬似石炭片６同士の間隙７を通って燃焼室２内に抜けるとき、擬似石炭片６を効率よく加熱して赤熱させることができる。
【００２７】
従来の円筒状の赤熱部材や擬木状の赤熱部材をバーナー１の上部に配置したものは、バーナー１の燃焼量を絞った時には赤熱部材４の上部の赤熱はなくなり黒ずんでしまうが、この発明の塊状の擬似石炭片６の一つ一つは裏面が空間Ａにのぞませてあり、燃焼量を絞った時にも空間Ａ内は高温の燃焼ガスが充満しているから、擬似石炭片６の裏面は常に高温に晒されて赤熱しており、また、擬似石炭片６の燃焼室２側も間隙７を抜ける燃焼ガスによって側面からも加熱されるので、燃焼量を絞ったときでも一つ一つの擬似石炭片６は赤熱しており、黒ずむようなことはなくなった。更に、擬似石炭片６の間隙７から透けて見える他の擬似石炭片６は、必ず赤熱した裏面であるから、擬似石炭片６の表面の赤熱度が少し劣っても、間隙７部分は強い赤熱状態となっている。このため、擬似石炭片６の最上部に位置する擬似石炭片６までも赤熱するだけでなく、積み上げられたように見える擬似石炭片６の全体が赤熱して見ることができ、燃焼量が変化する暖房機の赤熱部材４の配置構造として最適になった。
【００２８】
図３は赤熱部分の実施例を示しており、５ａは両端がバーナー１の外周縁に取付けられて前記空間Ａと燃焼室２との境に位置して前記赤熱部材保持体５を構成する線材、６ａは擬似石炭片６に設けられた貫通孔であり、前記擬似石炭片６の貫通孔６ａに線材５ａを挿通することで、擬似石炭片６を空間Ａの外周縁に位置させることができる。
【００２９】
具体的な取付け方法として、あらかじめ空間Ａができる形状とされた線材５ａに貫通孔６ａを使って擬似石炭片６を挿通して取付け、この線材５ａの端をバーナー１の周縁部に固定することで赤熱部材４が燃焼室２内に位置できるようになり、これによってドーム状の空間Ａを形成しているため、擬似石炭片６の固定に際して複雑な形状を必要とせず、簡単に固定できるようになった。また、赤熱する擬似石炭片６が線材５ａによって取付けられていても、線材５ａは大部分が擬似石炭片６の貫通孔６ａ内に位置しているから、擬似石炭片６を赤熱させるほどの熱に対しても耐熱性を上げやすくなった。
【００３０】
また、擬似石炭片６は貫通孔６ａをこの線材５ａに通すことで燃焼室２内の指定した位置に配置できるから、バーナー１の上部にドーム状の空間Ａが簡単に形成でき、複数の線材５ａがそれぞれ複数の擬似石炭片６を保持して空間の外周縁に沿った面状に並べられることによって、赤熱部材である擬似石炭片６は重ねられることなく正しくならべられ、かつ、擬似石炭片６同士の間に空間内部と連通する間隙７が形成できるから、複数個の擬似石炭片６の全体をむらなく赤熱させることが可能となった。
【００３１】
図４は赤熱部分の他の実施例を示しており、５ｂはドーム状に湾曲させて形成した網状部材であり、この網状部材５ｂには擬似石炭片６がはめ込まれる比較的大きな網目と、燃焼ガスを抜くための比較的小さな網目とで構成してある。この網状部材５ｂの端はバーナー１の外周を囲むように取付けられており、擬似石炭片６が網状部材５ｂの大きめの網目に嵌め込まれることで、この擬似石炭片６を燃焼室２内の空間Ａの外周縁上に保持することが可能となった。
【００３２】
また、赤熱部材保持体５を形成する網状部材５ｂの網目に擬似石炭片６を嵌め込む時において、網状部材５ｂを構成する線材を擬似石炭片６の形状に合わせて少し変形させながら網目に嵌め込むことによって固定されるから、擬似石炭片６の固定に際して複雑な構造や特別な作業を必要とせず、擬似石炭片６が簡単に固定できるものであり、あわせて、網状部材５ｂの形状によってバーナー１から連続するドーム状の空間Ａも簡単に形成することができた。
【００３３】
また、赤熱部材保持体５を形成する網状部材５ｂはあらかじめ網目を均一に構成することによって、この網目にはめ込まれる擬似石炭片６を容易に均一に配することが可能となり、また、この擬似石炭片６はドーム状の空間Ａと燃焼室２との境に配置でき、擬似石炭片６は網状部材５ｂで形成する空間Ａの外周縁上に保持されるから、擬似石炭片６はむらなく赤熱できるようになった。
【図面の簡単な説明】
【００３４】
【図１】この発明の実施例の全体構成を示す断面図。
【図２】この発明の他の実施例の全体構成を示す断面図。
【図３】この発明の要部の実施例を示す拡大断面図。
【図４】この発明の要部の他の実施例を示す拡大断面図。
【符号の説明】
【００３５】
Ａ    空間
１    バーナー
２    燃焼室
３    熱線透過部
４    赤熱部材
５    赤熱部材保持体
５ａ  線材
５ｂ  網状部材
６    擬似石炭片
６ａ  貫通孔
７    間隙
【図１】
0004753343.tif 000002
【図２】
0004753343.tif 000003
【図３】
0004753343.tif 000004
【図４】
0004753343.tif 000005